(57)【要約】【課題】観察される画像において、３次元的な奥行き感を得る。【解決手段】電子ビューファインダ２は、互いに重ね合わされた２以上の所定数の透過型画像表示部２１〜２３と、前記所定数の透過型画像表示部２１〜２３の後方から照明光を照射する照明部２４と、前記所定数の透過型画像表示部２１〜２３のそれぞれの表示画像が重畳されてなる重畳画像を観察し得るように、前記所定数の透過型画像表示部２１〜２３を透過した光を導く接眼光学系２０と、を備える。【選択図】図１
2013009160.tif 000002
【特許請求の範囲】
【請求項１】
互いに重ね合わされた２以上の所定数の透過型画像表示部と、
前記所定数の透過型画像表示部の後方から照明光を照射する照明部と、
前記所定数の透過型画像表示部のそれぞれの表示画像が重畳されてなる重畳画像を観察し得るように、前記所定数の透過型画像表示部を透過した光を導く接眼光学系と、
を備えたことを特徴とする電子ビューファインダ。
【請求項２】
撮影レンズにより結像される被写体像を撮像する撮像素子と、
請求項１記載の電子ビューファインダと、
前記撮像素子により撮像された被写体像に基づく各画像を前記所定数の透過型画像表示部にそれぞれ表示させる表示制御部と、
を備えたことを特徴とする撮像装置。
【請求項３】
被写体の各部の測距に基づく遠近又は被写体の各部の推定された遠近に応じて、前記被写体像の各部の領域を前記所定数のグループに分け、前記所定数のグループについて前記遠近の近い側から順番をつけ、前記所定数の透過型画像表示部について前記接眼光学系に光学的に近い側から順番をつけたとき、前記表示制御部は、前記各透過型画像表示部に、当該透過型画像表示部の順番と同じ順番のグループの領域の画像を表示させることを特徴とする請求項２記載の撮像装置。
【請求項４】
被写体の各部の測距に基づく遠近又は被写体の各部の推定された遠近に応じて、前記被写体像の各部の領域を前記所定数のグループに分け、前記所定数のグループについて前記遠近の近い側から順番をつけ、前記所定数の透過型画像表示部について前記接眼光学系に光学的に近い側から順番をつけたとき、前記表示制御部は、前記所定数の透過型画像表示部のうちの少なくとも１つの透過型画像表示部に、当該透過型画像表示部の順番と同じ順番のグループの領域の画像に奥行き感強調処理を施した画像を表示させ、
前記表示制御部は、前記所定数の透過型画像表示部のうちの他の透過型画像表示部に、当該透過型画像表示部の順番と同じ順番のグループの領域の画像又はこの画像に奥行き感強調処理を施した画像を表示させ、
前記奥行き感強調処理は、前記接眼光学系を通して観察される前記重畳画像における奥行き感を高めるための処理である、
ことを特徴とする請求項２記載の撮像装置。
【請求項５】
前記奥行き感強調処理は、当該画像の輝度を変更する処理を含むことを特徴とする請求項４記載の撮像装置。
【請求項６】
前記奥行き感強調処理は、当該画像のサイズを変更する処理を含むことを特徴とする請求項４又は５記載の撮像装置。
【請求項７】
被写体の各部の測距に基づく遠近又は被写体の各部の推定された遠近に応じて、前記被写体像の各部の領域を前記所定数のグループに分け、前記所定数のグループについて前記遠近の近い側から順番をつけ、前記所定数の透過型画像表示部について前記接眼光学系に光学的に近い側から順番をつけたとき、前記表示制御部は、前記所定数の透過型画像表示部のうちの少なくとも１つの透過型画像表示部に、当該透過型画像表示部の順番と同じ順番のグループの領域の画像とこの画像に対して位置ずれ又は視点ずれした画像とを交互に表示させ、
前記表示制御部は、前記所定数の透過型画像表示部のうちの他の透過型画像表示部に、当該透過型画像表示部の順番と同じ順番のグループの領域の画像を静止的に表示させるか、あるいは、当該透過型画像表示部の順番と同じ順番のグループの領域の画像とこの画像に対して位置ずれ又は視点ずれした画像とを交互に表示させる、
ことを特徴とする請求項２記載の撮像装置。
【請求項８】
前記表示制御部は、前記所定数の透過型画像表示部のうち、前記所定数のグループのうちの前記撮影レンズによる前記被写体像における合焦位置を有する領域を含むグループの順番と同じ順番の透過型画像表示部に、当該グループの領域の画像を静止的に表示させることを特徴とする請求項７記載の撮像装置。
【発明の詳細な説明】
【技術分野】
【０００１】
本発明は、電子ビューファインダ及びこれを用いた撮像装置に関するものである。
【背景技術】
【０００２】
下記特許文献１に開示された従来のカメラの電子ビューファインダでは、単一の画像表示部として反射型液晶が用いられ、前記反射型液晶により表示された画像が接眼光学系を通して観察者の目によって観察される。
【先行技術文献】
【特許文献】
【０００３】
【特許文献１】特開２００３−２０４４５５号公報
【発明の概要】
【発明が解決しようとする課題】
【０００４】
しかしながら、前記従来の電子ビューファインダでは、画像を表示するために単一の反射型液晶のみが用いられていたので、観察される画像は平面的であり、その画像では３次元的な奥行き感を得ることができなかった。
【０００５】
これに対し、電子ビューファインダで観察される画像において３次元的な奥行き感が得ることができれば、観察者は、電子ビューファインダによる観察画像から被写体の各部の前後関係を把握し易くなり、より的確に被写体の状況を把握することができる。
【０００６】
本発明は、このような事情に鑑みてなされたもので、観察される画像において３次元的な奥行き感を得ることができる電子ビューファインダ、及び、これを用いた撮像装置を提供することを目的とする。
【課題を解決するための手段】
【０００７】
前記課題を解決するための手段として、以下の各態様を提示する。第１の態様による電子ビューファインダは、互いに重ね合わされた２以上の所定数の透過型画像表示部と、前記所定数の透過型画像表示部の後方から照明光を照射する照明部と、前記所定数の透過型画像表示部のそれぞれの表示画像が重畳されてなる重畳画像を観察し得るように、前記所定数の透過型画像表示部を透過した光を導く接眼光学系と、を備えたものである。
【０００８】
第２の態様による撮像装置は、撮影レンズにより結像される被写体像を撮像する撮像素子と、前記第１の態様による電子ビューファインダと、前記撮像素子により撮像された被写体像に基づく各画像を前記所定数の透過型画像表示部にそれぞれ表示させる表示制御部と、を備えたものである。
【０００９】
第３の態様による撮像装置は、前記第２の態様において、被写体の各部の測距に基づく遠近又は被写体の各部の推定された遠近に応じて、前記被写体像の各部の領域を前記所定数のグループに分け、前記所定数のグループについて前記遠近の近い側から順番をつけ、前記所定数の透過型画像表示部について前記接眼光学系に光学的に近い側から順番をつけたとき、前記表示制御部は、前記各透過型画像表示部に、当該透過型画像表示部の順番と同じ順番のグループの領域の画像を表示させるものである。
【００１０】
第４の態様による撮像装置は、前記第２の態様において、（i）被写体の各部の測距に基づく遠近又は被写体の各部の推定された遠近に応じて、前記被写体像の各部の領域を前記所定数のグループに分け、前記所定数のグループについて前記遠近の近い側から順番をつけ、前記所定数の透過型画像表示部について前記接眼光学系に光学的に近い側から順番をつけたとき、前記表示制御部は、前記所定数の透過型画像表示部のうちの少なくとも１つの透過型画像表示部に、当該透過型画像表示部の順番と同じ順番のグループの領域の画像に奥行き感強調処理を施した画像を表示させ、（ii）前記表示制御部は、前記所定数の透過型画像表示部のうちの他の透過型画像表示部に、当該透過型画像表示部の順番と同じ順番のグループの領域の画像又はこの画像に奥行き感強調処理を施した画像を表示させ、（iii）前記奥行き感強調処理は、前記接眼光学系を通して観察される前記重畳画像における奥行き感を高めるための処理であるものである。
【００１１】
第５の態様による撮像装置は、前記第４の態様において、前記奥行き感強調処理は、当該画像の輝度を変更する処理を含むものである。
【００１２】
第６の態様による撮像装置は、前記第４又は第５の態様において、前記奥行き感強調処理は、当該画像のサイズを変更する処理を含むものである。
【００１３】
第７の態様による撮像装置は、前記第２の態様において、（i）被写体の各部の測距に基づく遠近又は被写体の各部の推定された遠近に応じて、前記被写体像の各部の領域を前記所定数のグループに分け、前記所定数のグループについて前記遠近の近い側から順番をつけ、前記所定数の透過型画像表示部について前記接眼光学系に光学的に近い側から順番をつけたとき、前記表示制御部は、前記所定数の透過型画像表示部のうちの少なくとも１つの透過型画像表示部に、当該透過型画像表示部の順番と同じ順番のグループの領域の画像とこの画像に対して位置ずれ又は視点ずれした画像とを交互に表示させ、（ii）前記表示制御部は、前記所定数の透過型画像表示部のうちの他の透過型画像表示部に、当該透過型画像表示部の順番と同じ順番のグループの領域の画像を静止的に表示させるか、あるいは、当該透過型画像表示部の順番と同じ順番のグループの領域の画像とこの画像に対して位置ずれ又は視点ずれした画像とを交互に表示させるものである。
【００１４】
第８の態様による撮像装置は、前記第７の態様において、前記表示制御部は、前記所定数の透過型画像表示部のうち、前記所定数のグループのうちの前記撮影レンズによる前記被写体像における合焦位置を有する領域を含むグループの順番と同じ順番の透過型画像表示部に、当該グループの領域の画像を静止的に表示させるものである。
【発明の効果】
【００１５】
本発明によれば、観察される画像において３次元的な奥行き感を得ることができる電子ビューファインダ、及び、これを用いた撮像装置を提供することができる。
【図面の簡単な説明】
【００１６】
【図１】本発明の第１の実施の形態による電子カメラを模式的に示す概略断面図である。
【図２】図１に示す電子カメラを示す概略ブロック図である。
【図３】図１に示す電子カメラの電子ビューファインダに関する動作を示す概略フローチャートである。
【図４】被写体の状況の例を模式的に示す図である。
【図５】図１に示す電子カメラの撮像素子により撮像された画像の例を模式的に示す図である。
【図６】図１に示す電子カメラの電子ビューファインダの各透過型画像表示部の表示画像の例を模式的に示す図である。
【図７】本発明の第２の実施の形態による電子カメラの電子ビューファインダに関する動作を示す概略フローチャートである。
【図８】本発明の第３の実施の形態による電子カメラの電子ビューファインダに関する動作を示す概略フローチャートである。
【図９】本発明の第４の実施の形態による電子カメラを模式的に示す概略断面図である。
【図１０】図９に示す電子カメラの電子ビューファインダに関する動作を示す概略フローチャートである。
【発明を実施するための形態】
【００１７】
以下、本発明による電子ビューファインダ及びこれを用いた撮像装置について、図面を参照して説明電子ビューファインダする。
【００１８】
［第１の実施の形態］
図１は、本発明の第１の実施の形態による撮像装置としての電子カメラ１を模式的に示す概略断面図である。
【００１９】
本実施の形態による電子カメラ１は、いわゆるデジタルカメラとして構成されているが、本発明による撮像装置は、デジタルカメラのみならず、ビデオカメラなどの他の撮像装置や、携帯電話に搭載された撮像装置などの種々の撮像装置に適用することができる。また、本実施の形態による電子カメラ１は、本発明の一実施の形態による電子ビューファインダ２を備えている。もっとも、本発明による電子ビューファインダは、撮像装置のみならず、観察装置などの他の種々の装置に搭載してもよい。
【００２０】
本実施の形態による電子カメラ１は、カメラボディ１１の前方に、撮影レンズ１２が装着されている。この撮影レンズ１２は、交換可能であってもよいし、交換不能であってもよい。
【００２１】
撮影レンズ１２の光軸上には、ハーフミラー１３、シャッタ１４及び撮像素子１５が順に配置されている。ハーフミラー１３を透過した光による被写体像が撮影レンズ１２によって撮像素子１５上に結像され、その被写体像が撮像素子１５により撮像される。ハーフミラー１３の反射方向には多点測距センサ１６が配置されている。ハーフミラー１３を反射した光による被写体像が撮影レンズ１２によって多点測距センサ１６上に結像される。多点測距センサ１６は、撮像素子１５の撮像領域に相当する領域の全体に渡り２次元状に多数分布した各測距点での被写体の各部までの測距情報を示す検出信号（測距信号）を出力する。多点測距センサ１６としては、公知の多点測距センサを用いることができるが、測距点が多いほど好ましい。カメラボディ１１の背面には、背面液晶パネル１７が設けられている。なお、ハーフミラー１３を可動に構成し、電子ビューファインダ２を使用時には、ハーフミラー１３を図１に示す位置に移動させる一方で、本撮影時には、撮影レンズ１２から撮像素子１５へ向かう光路からハーフミラー１３を退避するようにしてもよい。
【００２２】
本実施の形態では、電子ビューファインダ２は、カメラボディ１１の背面に配置され観察者がその片方の目１００で覗く接眼窓１８と、接眼窓１８の内側に配置された接眼レンズ２０と、カメラボディ１１内において接眼レンズ２０の光軸の延長上に設けられ画像を表示する表示部１９とを備えている。
【００２３】
表示部１９は、接眼レンズ２０に光学的に近い（すなわち、光路に沿って近い）側から順に配置され互いに重ね合わされた３つの２次元状の透過型画像表示部２１〜２３と、これらの透過型画像表示部２１〜２３の後方から照明光を照射する照明部としてのバックライト２４とを備えている。本実施の形態では、互いに重ね合わされる透過型画像表示部２１〜２３の数が３つとされているが、本発明では、その数は２つ以上の任意の数にすることができる。
【００２４】
本実施の形態では、各透過型画像表示部２１〜２３として透過型液晶表示素子が用いられているが、他の透過型空間光変調素子を用いてもよい。透過型液晶表示素子は、２枚の透明板の間に液晶層、配向膜、透明電極等を挟んだ構造を持つ。各透過型画像表示部２１〜２３として透過型液晶表示素子を用いる場合、通常の透過型液晶表示素子をそのまま用いて重ね合わせてもよいし、隣り合う２つの透過型液晶表示素子の一方の透明板を１枚の透明板で共用してもよい。
【００２５】
バックライト２４は、エッジライト方式や直下型方式などのいずれの方式のバックライトでもよいし、光源も冷陰極管やＬＥＤや有機ＥＬ素子等の平面光源素子などのいずれの光源を採用したバックライトでもよい。
【００２６】
本実施の形態では、接眼レンズ２０が、３つの透過型画像表示部２１〜２３のそれぞれの表示画像が重畳されてなる重畳画像を観察し得るように、透過型画像表示部２１〜２３を透過した光を観察者の片方の目１００に導く接眼光学系を構成している。
【００２７】
図２は、本実施の形態による電子カメラ１を示す概略ブロック図である。撮影レンズ１２は、レンズ制御部３１によってフォーカスや絞りが駆動される。撮像素子１５としては、例えば、ＣＭＯＳイメージセンサやＣＣＤイメージセンサなどが用いられる。撮像素子１５は、撮像制御部３２から出力される制御信号によって駆動され、信号を出力する。撮像素子１５から出力される信号は、信号処理部３３及びＡ／Ｄ変換部３４を介して処理された後、メモリ３５に一旦蓄積される。メモリ３５は、バス３６に接続される。バス３６には、レンズ制御部３１、撮像制御部３２、マイクロプロセッサ３７、画像処理部３８、画像圧縮部３９、電子ビューファインダ２の表示部１９を制御する表示制御部４０、背面液晶パネル１７を制御する背面表示制御部４１、記録部４２及び多点測距センサ１６なども接続される。マイクロプロセッサ３７には、レリーズ釦などの操作部４３が接続される。また、上記の記録部４２には記録媒体４２ａが着脱自在に装着される。
【００２８】
図３は、本実施の形態による電子カメラ１の電子ビューファインダ２に関する動作を示す概略フローチャートである。
【００２９】
操作部４３の操作に応じたマイクロプロセッサ３７の指令により、電子ビューファインダ２の動作を開始する場合、マイクロプロセッサ３７は、まず、撮像制御部３２に撮像の指令を与え、撮像素子１５から画像信号を読み出して、撮像を行う（ステップＳ１）。この画像信号は、信号処理部３３により増幅等された後にＡ／Ｄ変換部３４によりＡ／Ｄ変換され、画像データとしてメモリ３５に蓄積される。なお、電子ビューファインダ２が表示動作を継続している間は、マイクロプロセッサ３７の指令下で、表示制御部４０は、バックライト２４を点灯させる。
【００３０】
図４は、ステップＳ１の撮像時の被写体の状況の例を模式的に示す図である。この例では、観察者の目１００から矢印で見たもの（近くの自転車９１、遠くの山９３、両者の中間の遠さの自動車９２を含むもの）が被写体となっている。図４の目１００の位置で図中の矢印の方向に電子カメラ１を向けている状態で、ステップＳ１の撮像を行ったものとすると、その撮像によりメモリ３５に蓄積された画像データは、図５に示す画像を示すものとなる。この画像中には、自転車９１の像９１’、自動車９２の像９２’及び山９３の像９３’が含まれている。
【００３１】
ステップＳ１の後に、マイクロプロセッサ３７は、多点測距センサ１６から測距信号を得て、この信号を適宜演算等することによって、撮像画像中の各測距点における被写体の各部までの距離を示す測距データを得る（ステップＳ２）。
【００３２】
次いで、マイクロプロセッサ３７は、ステップＳ２で得た測距データに基づいて、被写体の各部の測距に基づく遠近に応じて、被写体像の各部の領域を、透過型画像表示部２１〜２３の数（本実施の形態では、３つ）と同数のグループに分ける（ステップＳ３）。すなわち、マイクロプロセッサ３７は、被写体像の各部の領域を、相対的に近い部分の領域と、相対的に遠い部分の領域と、相対的にそれらの中間の遠さの部分の領域とに分ける。具体的には、各測距点の距離の分布状況から、近いと判定する距離範囲、遠いと判定する距離範囲、及び、中間の遠さであると判定する距離範囲を決定し（例えば、最短距離と最長距離との間を３等分した３つの距離範囲にそれぞれ決定してもよいし、属する測距点の度数が３等分になる３つの距離範囲にそれぞれ決定してもよい。）、近い距離範囲に属する測距点で代表される領域を相対的に近い部分の領域とし、遠い距離範囲に属する測距点で代表される領域を相対的に遠い部分の領域とし、中間の遠さの距離範囲に属する測距点で代表される領域を相対的に中間の遠さの部分の領域とする。例えば、ステップＳ１の撮像で得られた画像データが前述した図５に示す画像を示す場合、自転車９１の像９１’を含む領域は相対的に近い部分の領域に、山９３の像９３’を含む領域は相対的に遠い部分の領域に、自動車９２の像９２’を含む領域は相対的に中間の遠さの部分の領域に、それぞれグループ分けされる。
【００３３】
なお、このように被写体の各部の測距に基づく遠近に応じて被写体像の各部の領域をグループに分ける代わりに、ステップＳ１の撮像で得た画像から、種々の画像認識技術や画像解析技術を利用して被写体の各部の遠近を推定し、この推定された遠近に応じて、被写体像の各部の領域をグループに分けてもよい。この場合、ステップＳ２は不要となり、多点測距センサ１６及びハーフミラー１３は必ずしも設ける必要はない。これらの点は、後述する各実施の形態についても同様である。
【００３４】
ステップＳ３の後、マイクロプロセッサ３７は、ステップＳ１の撮像で得られた画像データから、ステップＳ３で分けたグループ毎の領域の画像データを生成する（ステップＳ４）。
【００３５】
次に、表示制御部４０は、ステップＳ４で生成された画像データを用いて、それらの画像データがそれぞれ示す表示画像を対応する透過型画像表示部２１〜２３にそれぞれ表示させる（ステップＳ５）。このとき、ステップＳ３で分けられた３つのグループについて前記遠近の近い側から順番をつけ、３つの透過型画像表示部２１〜２３について接眼レンズ２０に光学的に近い側から順番をつけたとき、表示制御部４０は、各透過型画像表示部２１〜２３に、当該透過型画像表示部の順番と同じ順番のグループの領域の画像を表示させる。本実施の形態では、具体的には、表示制御部４０は、１番目の透過型画像表示部２１には１番目のグループの領域（相対的に近い部分の領域）の画像を表示させ、２番目の透過型画像表示部２２には２番目のグループの領域（相対的に中間の遠さの部分の領域）の画像を表示させ、３番目の透過型画像表示部２２には３番目のグループの領域（相対的に遠い部分の領域）の画像を表示させる。
【００３６】
図６は、このときの各透過型画像表示部２１〜２３にそれぞれ表示される表示画像２１’〜２３’の例を、模式的に示す図である。図６に示す例では、ステップＳ１の撮像で得られた画像データが前述した図５に示す画像を示す場合の表示画像２１’〜２３’を示している。この例では、接眼レンズ２０（ひいては観察者の目１００）に光学的に最も近い１番目の透過型画像表示部２１に表示される表示画像２１’には、相対的に近い自転車９１の像９１’が現れ、２番目の透過型画像表示部２２に表示される表示画像２２’には相対的に中間の遠さの自動車９２の像９２’が現れ、３番目の透過型画像表示部２３に表示される表示画像２３’には相対的に中間の遠さの山９３の像９３’が現れている。
【００３７】
なお、１番目の透過型画像表示部２１に表示される表示画像２１’では、２番目及び３番目のグループの領域（相対的に中間の遠さの部分の領域及び相対的に遠い部分の領域）の透過率は１００％にされ、その領域では実質的な表示はない。同様に、２番目の透過型画像表示部２２に表示される表示画像２２’では、１番目及び３番目のグループの領域（相対的に近い部分の領域及び相対的に遠い部分の領域）の透過率は１００％にされ、その領域では実質的な表示はない。同様に３番目の透過型画像表示部２３に表示される表示画像２３’では、１番目及び２番目のグループの領域（相対的に近い部分の領域及び相対的に中間の遠さの部分の領域）の透過率は１００％にされ、その領域では実質的な表示はない。
【００３８】
ステップＳ５の後に、ステップＳ１へ戻り、ステップＳ１〜Ｓ５の動作が繰り返される。これにより、観察者は、電子ビューファインダ２の接眼窓１８から、３つの透過型画像表示部２１〜２３のそれぞれの表示画像が重畳されてなる重畳画像であるファインダ画像を、動画像として、観察することになる。
【００３９】
そして、観察者が、前記ファインダ画像を観察することで、構図等を決定し、操作部４３のうちのレリーズ釦の半押し操作により暫定的に決定された露光状態や合焦位置を確認し、必要なら操作部４３による操作等によりそれらを再調整した後に、操作部４３のうちのレリーズ釦を全押しすると、その撮影条件で本撮影が行われる。この本撮影により撮像素子１５から読み出され画像信号は、信号処理及びＡ／Ｄ変換後に、メモリ３５に蓄積される。
【００４０】
その後、マイクロプロセッサ３７は、操作部４３の指令に基づき、メモリ３５内の画像信号に対して必要に応じて画像処理部３８や画像圧縮部３９にて所望の処理を行い、記録部４２に処理後の信号を出力させ記録媒体４２ａに記録する。
【００４１】
なお、電子ビューファインダ２に関する前述した表示動作は、例えば、操作部４３の操作等に応じて終了される。
【００４２】
本実施の形態では、前述したように、電子ビューファインダ２において、撮像素子１５により撮像された被写体像のうち、相対的に近い被写体の部分の画像が接眼レンズ２０（ひいては観察者の目１００）に光学的に最も近い透過型画像表示部２１に表示され、相対的に中間の遠さの被写体の部分の画像が接眼レンズ２０に光学的に中間の位置の透過型画像表示部２２に表示され、相対的に遠い被写体の部分の画像が接眼レンズ２０に光学的に遠い透過型画像表示部２３に表示され、それらの表示画像を重畳してなる重畳画像が観察者の目１００によって観察される。
【００４３】
したがって、本実施の形態によれば、電子ビューファインダ２によって、被写体の各部の遠近がそれらの各部の像の表示位置の遠近に置き換えられて表示されることになるので、接眼窓１８を覗く観察者の目１００が単眼であるものの、３次元的な奥行き感を得ることができる。このため、本実施の形態によれば、観察者は、電子ビューファインダ２による観察画像から被写体の各部の前後関係を把握し易くなり、より的確に被写体の状況を把握することができる。
【００４４】
［第２の実施の形態］
図７は、本発明の第２の実施の形態による電子カメラの電子ビューファインダに関する動作を示す概略フローチャートであり、図３に対応している。図７において、図３中のステップと同一又は対応するステップには同一符号を付し、その重複する説明は省略する。
【００４５】
本実施の形態による電子カメラが前記第１の実施の形態による電子カメラ１と異なる所は、電子ビューファインダ２に関する動作のみである。
【００４６】
すなわち、前記第１の実施の形態では、表示制御部４０は、ステップＳ４で生成されたグループ毎の領域の画像データを、ステップＳ５でそれぞれそのまま用いて、それらの画像データがそれぞれ示す表示画像を透過型画像表示部２１〜２３にそれぞれ表示させるのに対し、本実施の形態では、マイクロプロセッサ３７は、ステップＳ４で生成されたグループ毎の領域の画像データのうち、少なくとも１つのグループの領域の画像に奥行き感強調処理を施す（ステップＳ１１）。
【００４７】
そして、本実施の形態では、表示制御部４０は、少なくとも１つのグループの領域の画像にステップＳ１１で奥行き感強調処理が施された画像データ、及び、他のグループに関するステップＳ４で生成された画像データ又はステップＳ１１で奥行き感強調処理が施された画像データを用いて、それらの画像データがそれぞれ示す表示画像を対応する透過型画像表示部２１〜２３にそれぞれ表示させる（ステップＳ５）。このとき、ステップＳ３で分けられた３つのグループについて前記遠近の近い側から順番をつけ、３つの透過型画像表示部２１〜２３について接眼レンズ２０に光学的に近い側から順番をつけたとき、表示制御部４０は、透過型画像表示部２１〜２３のうちの少なくとも１つの透過型画像表示部に、当該透過型画像表示部の順番と同じ順番のグループの領域の画像にステップＳ１１で奥行き感強調処理が施された画像を表示させ、表示制御部４０は、透過型画像表示部２１〜２３のうちの他の透過型画像表示部に、当該透過型画像表示部の順番と同じ順番のグループの領域の画像又はこの画像にステップＳ１１で奥行き感強調処理が施された画像を表示させる。
【００４８】
前記奥行き感強調処理は、接眼窓１８から接眼レンズ２０を通して観察される重畳画像における奥行き感を高めるための処理である。この処理の具体例としては、近い方の被写体の部分の画像の輝度を遠い方の被写体の部分の画像の輝度よりも相対的に高める処理や、近い方の被写体の部分の画像のサイズを遠い方の被写体の部分の画像のサイズよりも相対的に大きくする処理や、それらを両方行う処理などを挙げることができる。輝度を変更する処理は、観察者は輝度の高い像を輝度が低い像よりも近くにあるものと感じ易いことに基づいて、前記奥行き感を高めるものである。サイズを変更する処理は、観察者は大きな像は小さな像よりも近くにあるものと感じ易いことに基づいて、前記奥行き感を高めるものである。また、前記奥行き感強調処理は、これらの処理に限定されるものではなく、例えば、陰影を付ける処理などでもよい。
【００４９】
より具体な例について説明すると、本実施の形態では、ステップＳ１１において、マイクロプロセッサ３７は、１番目のグループの領域（相対的に近い部分の領域）の画像にその輝度を若干高める処理及びそのサイズを若干大きくする処理の一方又は両方を施し、３番目のグループの領域（相対的に遠い部分の領域）の画像にその輝度を若干低める処理及びそのサイズを若干小さくする処理の一方又は両方を施す。そして、ステップＳ５において、表示制御部４０は、１番目の透過型画像表示部２１には１番目のグループの領域（相対的に近い部分の領域）の画像にステップＳ１１で前記処理を施した画像を表示させ、２番目の透過型画像表示部２２には２番目のグループの領域（相対的に中間の遠さの部分の領域）の画像を表示させ、３番目の透過型画像表示部２３には３番目のグループの領域（相対的に遠い部分の領域）の画像にステップＳ１１で前記処理を施した画像を表示させる。
【００５０】
この場合、前述した図６に示す例に則して説明すると、１番目の透過型画像表示部２１に表示される表示画像２１’中の自転車９１の像９１’は、図６に示す像９１’よりも輝度が若干高いかサイズが若干大きいかあるいはその両方かのいずれかとなり、２番目の透過型画像表示部２２に表示される表示画像２２’中の自動車９２の像９２’は、図６に示す像９２’と同一となり、３番目の透過型画像表示部２３に表示される表示画像２３’中の山９３の像９３’は、図６に示す像９３’よりも輝度が若干低いかサイズが若干小さいかあるいはその両方かのいずれかとなる。
【００５１】
本実施の形態によれば、前述した奥行き感強調処理がなされるので、観察者の目１００によって観察される重畳画像において得られる３次元的な奥行き感が、前記第１の実施の形態で得られる奥行き感に比べてより高まる。
【００５２】
［第３の実施の形態］
図８は、本発明の第３の実施の形態による電子カメラの電子ビューファインダに関する動作を示す概略フローチャートであり、図３に対応している。図８において、図３中のステップと同一又は対応するステップには同一符号を付し、その重複する説明は省略する。
【００５３】
本実施の形態による電子カメラが前記第１の実施の形態による電子カメラ１と異なる所は、電子ビューファインダ２に関する動作のみである。
【００５４】
すなわち、前記第１の実施の形態では、表示制御部４０は、ステップＳ４で生成されたグループ毎の領域の画像データを、ステップＳ５でそれぞれそのまま用いて、それらの画像データがそれぞれ示す表示画像を透過型画像表示部２１〜２３にそれぞれ表示させるのに対し、本実施の形態では、図８中のステップＳ２１，Ｓ２２の動作を行う。
【００５５】
本実施の形態では、ステップＳ２１において、マイクロプロセッサ３７は、ステップＳ４で生成されたグループ毎の領域の画像データについて、当該画像データが示す画像に対して所定方向に若干位置ずれした画像を示す画像データを生成する。このとき、位置ずれした画像を示す画像データを生成する代わりに、視点が若干ずれた画像（視点ずれした画像）を示す画像データを生成し、後述するステップＳ２２で、位置ずれした画像を示す画像データの代わりに、視点ずれした画像を示す画像データを用いてもよい。
【００５６】
そして、本実施の形態では、ステップＳ２１の後にステップＳ２２が行われる。本実施の形態では、ステップＳ３で分けられた３つのグループについて前記遠近の近い側から順番をつけ、３つの透過型画像表示部２１〜２３について接眼レンズ２０に光学的に近い側から順番をつけたとき、ステップＳ２２において、表示制御部４０は、透過型画像表示部２１〜２３のうちの少なくとも１つの透過型画像表示部に、当該透過型画像表示部の順番と同じ順番のグループの領域の画像（ステップＳ４で生成した画像）とこの画像に対して位置ずれした画像（ステップＳ２１で生成した画像）とを交互に表示させ、また、表示制御部４０は、透過型画像表示部２１〜２３のうちの他の透過型画像表示部に、当該透過型画像表示部の順番と同じ順番のグループの領域の画像（ステップＳ４で生成した画像）を静止的に表示させるか、あるいは、当該透過型画像表示部の順番と同じ順番のグループの領域の画像（ステップＳ４で生成した画像）とこの画像に対して位置ずれした画像（ステップＳ２１で生成した画像）とを交互に表示させる。
【００５７】
より具体な例について説明すると、本実施の形態では、ステップＳ２１において、マイクロプロセッサ３７は、１番目のグループの領域（相対的に近い部分の領域）の画像に対して若干位置ずれした画像を生成し、２番目のグループの領域（相対的に中間の遠さの部分の領域）の画像に対して若干位置ずれした画像を生成し、３番目のグループの領域（相対的に遠い部分の領域）の画像に対して若干位置ずれした画像を生成する。そして、ステップＳ２２において、表示制御部４０は、１番目の透過型画像表示部２１には、１番目のグループの領域（相対的に近い部分の領域）の画像とこの画像に対して位置ずれした画像とを交互に表示させるか、あるいは、１番目のグループの領域（相対的に近い部分の領域）の画像を静止的に表示させる。また、ステップＳ２２において、表示制御部４０は、２番目の透過型画像表示部２２には、２番目のグループの領域（相対的に中間の遠さの部分の領域）の画像とこの画像に対して位置ずれした画像とを交互に表示させるか、あるいは、２番目のグループの領域（相対的に中間の遠さの部分の領域）の画像を静止的に表示させる。さらに、ステップＳ２２において、表示制御部４０は、３番目の透過型画像表示部２３には、３番目のグループの領域（相対的に遠い部分の領域）の画像とこの画像に対して位置ずれした画像とを交互に表示させるか、あるいは、３番目のグループの領域（相対的に遠い部分の領域）の画像を静止的に表示させる。ただし、表示制御部４０は、透過型画像表示部２１〜２３のうちの少なくとも１つの透過型画像表示部には、前述した静止的表示ではなく交互表示を行わせる。
【００５８】
この場合、前述した図６に示す例に則して説明すると、１番目の透過型画像表示部２１には、図６に示す自転車９１の像９１’とこの像９１’に対して位置ずれした像とが交互に表示されるか、あるいは、図６に示す自転車９１の像９１’が静止的に表示される。２番目の透過型画像表示部２２には、図６に示す自動車９２の像９２’とこの像９２’に対して位置ずれした像とが交互に表示されるか、あるいは、図６に示す自動車９２の像９２’が静止的に表示される。３番目の透過型画像表示部２３には、図６に示す山９３の像９３’とこの像９３’に対して位置ずれした像とが交互に表示されるか、あるいは、図６に示す山９３の像９３’が静止的に表示される。ただし、表示制御部４０は、透過型画像表示部２１〜２３のうちの少なくとも１つの透過型画像表示部には、前述した静止的表示ではなく交互表示がなされる。
【００５９】
交互表示がされている透過型画像表示部の表示画像では、その像がぷるぷると振動しているように見える。例えば、１番目の透過型画像表示部２１に交互表示がなされると自転車９１の像９１’がぷるぷると振動しているように見え、２番目の透過型画像表示部２２に交互表示がなされると自動車９２の像９２’がぷるぷると振動しているように見え、３番目の透過型画像表示部２３に交互表示がなされると山９３の像９３’がぷるぷると振動しているように見える。
【００６０】
したがって、本実施の形態によれば、運動視差によって、観察者の目１００によって観察される重畳画像において得られる３次元的な奥行き感が、前記第１の実施の形態で得られる奥行き感に比べてより高まる。
【００６１】
ところで、本実施の形態では、ステップＳ２２において、表示制御部４０は、透過型画像表示部２１〜２３のうち、前記３つのグループのうちの撮影レンズ１２による被写体像における合焦位置を含むグループの順番と同じ順番の透過型画像表示部にも、当該グループの領域の画像とこの画像に対して位置ずれした画像とを交互に表示してもよい。例えば、今、撮影レンズが自動車９２に合焦しているとすれば、被写体像における合焦位置（自動車９２の像９２’位置）を含むグループの順番と同じ順番の透過型画像表示部２２にも、自動車９２の像９２’とこの像９２’に対して位置ずれした像とを交互に表示してもよい。
【００６２】
しかしながら、ステップＳ２２において、表示制御部４０は、透過型画像表示部２１〜２３のうち、前記３つのグループのうちの撮影レンズ１２による被写体像における合焦位置を含むグループの順番と同じ順番の透過型画像表示部には、当該グループの領域の画像を静止的に表示することが好ましい。その理由は、合焦位置がぷるぷると振動しているように見えるよりも、合焦位置が静止しているかのように見えた方が、合焦状態等を確認し易いからである。
【００６３】
なお、マイクロプロセッサ３７にとっては、ＡＦ動作等において画像のいずれの位置が合焦位置であるかが既知であるので、その合焦位置が用いられる。
【００６４】
［第４の実施の形態］
図９は、本発明の第４の実施の形態による電子カメラ５１を模式的に示す概略断面図であり、図１に対応している。図９において、図１中の要素と同一又は対応する要素には同一符号を付し、その重複する説明は省略する。
【００６５】
図１０は、本発明の第４の実施の形態による電子カメラ５１の電子ビューファインダ２に関する動作を示す概略フローチャートであり、図３に対応している。図１０において、図３中のステップと同一又は対応するステップには同一符号を付し、その重複する説明は省略する。
【００６６】
前記第３の実施の形態では、位置ずれした画像データをステップＳ２１で画像処理によって得ているのに対し、本実施の形態では、位置ずれした画像データを光学像をずらすことで得る点で異なるが、本実施の形態によっても前記第３の実施の形態と同様のファインダ画像（重畳画像）を得ることができるようになっている。
【００６７】
本実施の形態では、図９に示すように、ハーフミラー１３とシャッタとの間に、透明な平行平板６１が配置されている。平行平板６１は、マイクロプロセッサ３７による制御下の圧電素子等の駆動部６２によって、光軸に対して垂直な位置（実線で示す位置）と、光軸に対して所定方向に所定角度だけ傾いた位置（破線で示す位置）とに移動可能になっている。平行平板６１が破線で示す位置に位置している際に、撮影レンズ１２により撮像素子１５上に結像される被写体像の位置は、平行平板６１が実線で示す位置に位置している際に、撮影レンズ１２により撮像素子１５上に結像される被写体像の位置から、所定方向に所定量だけずれる。説明の便宜上、平行平板６１が実線で示す位置に位置している際に行われる撮像素子１５による撮像を、位置ずれ前の撮像と呼び、平行平板６１が破線で示す位置に位置している際に行われる撮像素子１５による撮像を、位置ずれ後の撮像と呼ぶ。
【００６８】
本実施の形態では、図１０に示すように、ステップＳ１において位置ずれ前の撮像が行われ、その撮像により得られた画像について、ステップＳ３，Ｓ４の処理が行われる。ステップＳ４の後に、位置ずれ後の撮像（ステップＳ３１）が行われ、その撮像により得られた画像について、ステップＳ３，Ｓ４とそれぞれ同様のステップＳ３２，Ｓ３３が行われる。ただし、ステップＳ３２のグループ分けは、ステップＳ２の測距結果に加えて平行平板６１の傾きによる被写体像の位置ずれ量を考慮して行われる。本実施の形態においてステップＳ４で得た画像データが前記第３の実施の形態においてステップＳ４で得た画像データに相当し、本実施の形態においてステップＳ３３で得た画像データが前記第３の実施の形態においてステップＳ２１で生成した位置ずれした画像データに相当する。
【００６９】
そして、本実施の形態では、表示制御部４０は、ステップＳ４で得た画像データとステップＳ３３で得た画像データを用いて、ステップＳ２２と同様のステップＳ３４の動作を行う。
【００７０】
これにより、本実施の形態によっても、前記第３の実施の形態と同様のファインダ画像（重畳画像）を得ることができ、前記第３の実施の形態と同様の利点が得られる。
【００７１】
以上、本発明の各実施の形態及びその変形例について説明したが、本発明はこれらに限定されるものではない。
【符号の説明】
【００７２】
１，５１  電子カメラ
２  電子ビューファインダ
１２  撮影レンズ
１５  撮像素子
１９  表示部
２０  接眼レンズ
２１〜２３  透過型画像表示部
２４  バックライト
４０  表示制御部
【図１】
2013009160.tif 000003
【図２】
2013009160.tif 000004
【図３】
2013009160.tif 000005
【図４】
2013009160.tif 000006
【図５】
2013009160.tif 000007
【図６】
2013009160.tif 000008
【図７】
2013009160.tif 000009
【図８】
2013009160.tif 000010
【図９】
2013009160.tif 000011
【図１０】
2013009160.tif 000012